(57)【要約】【課題】小型でコンパクトな構造でありながら大トルクを伝達することができると共に、入力部材と出力部材との間において回転ガタが十分小さく且つ両者の間で応力集中が生じないトルクリミッタを提供すること。【解決手段】外側リング３の内周に円錐面３２を形成すると共に、内側リング４の外周に、円錐面３２と当接してこれを軸方向に押圧する対向円錐面４２を形成し、且つ外側リング３及び内側リング４の一方を内輪２に、他方をハウジング１にそれぞれ相対回転不能に係合させる。そして、外側リング３及び内側リング４の少なくとも一方を、インボリュートスプラインにより相手方に相対回転不能に係合させる。【選択図】  図１
2018179109.tif 000002
【特許請求の範囲】
【請求項１】
軸状の内輪とハウジングとを備え、前記内輪と前記ハウジングとの間に所定値以上の回転トルクが付加されたとき、両者が相対的に回転するトルクリミッタであって、
前記内輪を囲み相互に隣接して配置される外側リング及び内側リングが、共通の中心軸を有するよう前記ハウジング内に設置され、
前記外側リングの内周には円錐面が形成されると共に、前記内側リングの外周には、前記円錐面と当接して軸方向に押圧する対向円錐面が形成され、かつ、前記外側リング及び内側リングの一方が前記内輪に、他方が前記ハウジングにそれぞれ相対回転不能に係合され、
前記内輪と前記ハウジングとの間に所定値以上の回転トルクが付加されたときは、前記外側リングの円錐面と前記内側リングの対向円錐面との間の摩擦力に抗して、前記内輪と前記ハウジングとが相対的に回転するよう構成されており、さらに、
前記外側リング及び内側リングの少なくとも一方は、インボリュートスプラインにより相手方に相対回転不能に係合されていることを特徴とするトルクリミッタ。
【請求項２】
前記インボリュートスプラインを構成する外歯及び内歯の歯形形状は、転位量が互いに異なるものに設定された請求項１に記載のトルクリミッタ。
【請求項３】
前記ハウジングは、前記外側リング及び内側リングが設置されるとともに、軸方向の端部に開口が設けられた収容空間を有し、前記開口には、前記開口をシールドしながら、前記外側リングの円錐面及び前記内側リングの対向円錐面を互いに軸方向に押圧する蓋部材が設置された請求項１又は２に記載のトルクリミッタ。
【請求項４】
前記内輪及び前記ハウジングの外周には、軸方向の全長に亘って外歯が形成された請求項１乃至３のいずれかに記載のトルクリミッタ。
【請求項５】
前記外側リング及び内側リングが、共に、平面部とこれに接続された円錐部とからなる板状の金属により形成される請求項１乃至３のいずれかに記載のトルクリミッタ。
【発明の詳細な説明】
【技術分野】
【０００１】
本発明は、回転伝達装置の入力部材と出力部材を構成する軸状の内輪とハウジングとを備え、内輪とハウジンとの間に所定値以上の回転トルクが作用したとき、両者が相対的に回転するトルクリミッタに関するものである。
【背景技術】
【０００２】
近時においては、各種の部品をモーターで自動的に操作する生活用品、例えば、便座や便蓋が自動的に開閉する便器が広く普及している。このような便器においては、通常、便座や便蓋はモーター駆動によって開閉動させられるが、かかる開閉動の最中に人の手等による外力によっても便座や便蓋が開閉動させられることがある。この場合には、モーターに過負荷がかかってしまうため、これを回避するために、便座や便蓋を駆動する駆動装置には、通常トルクリミッタが装着されている。
【０００３】
便座や便蓋を自動的に開閉動させるための駆動装置の一例として、特許文献１に開示されたものを図１３に、この駆動装置に装着されたトルクリミッタの単体図を図１４に示す。駆動装置ＤＳは、駆動源であるモーターＭ、従動装置である便座や便蓋を開閉動させるための従動歯車体ＪＢ、及びモーターＭと従動歯車体ＪＢとの間に設けられたトルクリミッタＴＬから構成される。
【０００４】
トルクリミッタＴＬは、回転中心となるシャフト部材ＳＭ、このシャフト部材ＳＭに挿通されると共にこれと同軸に設けられる入力部材ＩＭ、出力部材ＯＭ、摩擦部材ＦＭ、及び軸方向ばね力付与部材ＡＭを備える。入力部材ＩＭはシャフト部材ＳＭに固定され、円板状の部分と、この外周縁から軸方向片側に延びる入力円筒壁ＩＣとを備えている。入力円筒壁ＩＣの外周には、モーターＭからの回転駆動を受ける入力歯車ＩＧが形成されている。出力部材ＯＭはシャフト部材ＳＭに対して回転可能であり、円板状の部分と、その中央部において入力部材ＩＭとは反対方向に向かって軸方向片側に延びる出力円筒壁ＯＣとを備えている。出力円筒壁ＯＣの外周には、従動歯車体ＪＢに接続される出力歯車ＯＧが形成されている。
摩擦部材ＦＭは入力円筒壁ＩＣの内側に画成される円環状空間に配設され、何れも環状である複数の入力プレートＩＰ及び出力プレートＯＰから構成される。入力プレートＩＰ及び出力プレートＯＰは軸方向に交互に積層して配設され、これらは溝と突起の嵌め合いにより、入力部材ＩＭ及び出力部材ＯＭにそれぞれ相対回転不能に係合される。軸方向ばね力付与部材ＡＭは、出力部材ＯＭと当接する円板状の座金Ｗと、この座金Ｗに軸方向ばね力を付与するコイルばねＳＰと、このコイルばねＳＰのばね力を調整するナットＮとを備える。座金Ｗによって出力部材ＯＭが軸方向に押圧されると、入力プレートＩＰと出力プレートＯＰとの間には所定の摩擦力が生じる。
【０００５】
通常の場合、即ち、便座や便蓋が所定値以下の回転トルクでモーター駆動によって開閉動する場合においては、モーターＭから伝達された回転駆動によって、入力部材ＩＭが回転すると共に入力部材ＩＭと回転不能に係合された入力プレートＩＰが回転する。このとき、入力プレートＩＰは出力プレートＯＰと所定の摩擦力によって接続されているため、出力プレートＯＰ及びこれと回転不能に係合された出力部材ＯＭも一体となって回転する。従って、出力部材ＯＭに接続された従動歯車体ＪＢも入力部材ＩＭと一体となって回転し、従動歯車体ＪＢに接続された便座や便蓋が自動的に開閉動する。
一方、便座や便蓋がモーターによって駆動されている最中に所定の回転トルク以上の外力が加えられ、これによって便座や便蓋が開閉動する場合においては、上記外力による回転トルクが従動歯車体ＪＢを介して出力部材ＯＭに伝達され、出力プレートＯＰと入力プレートＩＰとの間の摩擦力に打ち勝ち、出力プレートＯＰが入力プレートＩＰに対して滑り、出力プレートＯＰと入力プレートＩＰとの間で滑りが生じる。そのため、所定の回転トルク以上の外力、即ち過負荷、がモーターにかかることが回避される。
【先行技術文献】
【特許文献】
【０００６】
【特許文献１】特開２０１６−１５１２９７号公報
【発明の概要】
【発明が解決しようとする課題】
【０００７】
しかしながら、上述したトルクリミッタにおいては、摩擦部材ＦＭに軸方向の押圧力を付与してこれに所定の摩擦力を発生させる軸方向ばね力付与部材ＡＭが、軸方向において出力部材ＯＭとは反対側に位置するため、装置全体をコンパクトにすることができない。そのため、上述したトルクリミッタにあっては、これを例えばパソコンの蓋を駆動モーターで開閉するヒンジ部分など、スペースが狭い場所に設置することができない。
【０００８】
本出願人は、上記した課題を解決するため、本願の出願に先立ち、いわゆる輪ばねのようなばね定数の非常に大きなばねを利用して、小型でコンパクトな構造でありながら、摩擦力を増大し回転トルクの設定値を大きくしたトルクリミッタを提案している（特願２０１６−１７１１０号及び特願２０１６−１７１１１号）。これらのトルクリミッタでは、互いに当接する円錐面及び対向円錐面の形成された外側リング及び内側リングが用いられ、外側リング及び内側リングは、回転伝達装置の入力部材と出力部材を構成する内輪又はハウジングにそれぞれ相対回転不能に係合される。そして、外側リングと内側リングとの間に作用する回転トルクが、円錐面と対向円錐面との間で作用する摩擦力を上回ると、両方のリングが相対的に回転を始める。
【０００９】
ここで、本出願人の提案したトルクリミッタにおいては、外側リング及び内側リングを相対回転不能に係合するため、これらのリングに断面が角形の溝を設け、相手方となる内輪又はハウジングには、角形の溝と密着して嵌り合う断面が角形の突起を形成している。こうした係合方法は簡単なものではあるが、以下のような点で未だ改善の余地のあることが判明した。
第１に、角形断面の溝と突起とを互いに密着させるには、接触する面の表面粗さを小さくする必要がある等、こうした溝や突起を精度よく加工するのは困難な面がある。角形断面の溝と突起の寸法精度が低下した場合には、入力部材及び出力部材を構成する内輪とハウジングとの間にもいわゆる回転ガタが生じる結果となり、トルクリミッタを回転伝達系に設置した場合、入力部材を逆転しても出力部材は直ちに逆転しないなど、回転伝達装置として好ましくない現象が起こる。
第２に、入力部材である内輪の回転トルクが角形断面の溝と突起を介して出力部材であるハウジングに伝達される際に、角形断面の隅部に応力が集中しやすい。本出願人の提案のトルクリミッタは、コンパクトで高トルクの伝達が可能であるが、衝撃的な回転トルクが繰り返し作用したときは、角形断面の接触面の面圧の上昇による応力集中に起因して、角形断面の溝と突起にクラックが発生する恐れがある。
【００１０】
本発明は、本出願人が提案した輪ばねを利用するトルクリミッタにおける、上記したような問題点を解決することを課題とする。
【課題を解決するための手段】
【００１１】
上記の課題に鑑み、本発明は、互いに当接する円錐面及び対向円錐面の形成された外側リング及び内側リングを用い、輪ばねの原理を利用して大きな摩擦力を発生させるトルクリミッタにおいて、外側リング及び内側リングを、インボリュートスプラインにより内輪又はハウジングにそれぞれ相対回転不能に係合させたものである。即ち、本発明は、
「軸状の内輪とハウジングとを備え、前記内輪と前記ハウジングとの間に所定値以上の回転トルクが付加されたとき、両者が相対的に回転するトルクリミッタであって、
前記内輪を囲み相互に隣接して配置される外側リング及び内側リングが、共通の中心軸を有するよう前記ハウジング内に設置され、
前記外側リングの内周には円錐面が形成されると共に、前記内側リングの外周には、前記円錐面と当接して軸方向に押圧する対向円錐面が形成され、かつ、前記外側リング及び内側リングの一方が前記内輪に、他方が前記ハウジングにそれぞれ相対回転不能に係合され、
前記内輪と前記ハウジングとの間に所定値以上の回転トルクが付加されたときは、前記外側リングの円錐面と前記内側リングの対向円錐面との間の摩擦力に抗して、前記内輪と前記ハウジングとが相対的に回転するよう構成されており、さらに、
前記外側リング及び内側リングの少なくとも一方は、インボリュートスプラインにより相手方に相対回転不能に係合されている」
ことを特徴とするトルクリミッタとなっている。
【００１２】
前記インボリュートスプラインを構成する外歯及び内歯の歯形形状は、転位量が互いに異なるものに設定することができる。
前記ハウジングは、前記外側リング及び内側リングが設置されるとともに、軸方向の端部に開口が設けられた収容空間を有し、前記開口には、前記開口をシールドしながら、前記外側リングの円錐面及び前記内側リングの対向円錐面を互いに軸方向に押圧する蓋部材が設置されているのが好ましい。
前記内輪及び前記ハウジングの外周には、軸方向の全長に亘って外歯が形成されているのが好ましい。
前記外側リング及び内側リングが、共に、平面部とこれに接続された円錐部とからなる板状の金属により形成することができる。
【発明の効果】
【００１３】
本発明のトルクリミッタは、軸状の内輪と、この内輪を囲み相互に隣接して配置される外側リング及び内側リングとが、共通の中心軸を有するようにハウジング内に設置されており、外側リング及び内側リングの一方が内輪に、他方がハウジングにそれぞれ相対回転不能に係合されている。外側リング及び内側リングには、軸方向荷重により摩擦力を発生する円錐面及び対向円錐面が形成してあり、内輪とハウジングとの間に作用する回転トルクがこの摩擦力よりも大きくなると、両者は相対的に回転する。
このように、本発明のトルクリミッタでは、輪ばねの原理を利用して大きな摩擦力を発生させるため、小型のものであったとしても、内輪とハウジングとの間で大きなトルクの伝達が可能となり、例えば、各種の動力伝達系において、駆動モーター保護用のトルクリミッタに要するスペースを小さくすることができる。
【００１４】
そして、本発明のトルクリミッタでは、外側リング及び内側リングは、少なくともその一方がインボリュートスプラインにより相手方（内輪又はハウジング）に相対回転不能に係合される。インボリュートスプラインは、断面がインボリュート形状の多数の外歯と内歯とを嵌め合わせて係合する嵌め合い方法であり、内輪とハウジングとの間の伝達トルクが多数の歯に分散されるため、各々の歯に作用する力は小さくなる。さらに、内歯と外歯の接触部はインボリュートの曲面となるから、角形の溝と突起との嵌め合わせにおいて生じる、隅部のような急激な断面変化を生じる部分はなく、応力集中に起因するクラックの発生を防止することが可能である。
【００１５】
また、インボリュートスプラインを構成する外歯及び内歯は、回転伝達部品として常用されるインボリュート歯車の歯形そのものである。こうした歯車を精度よく加工する加工機は、工場等に常備されるものでもあり、本発明のインボリュートスプライン部分は、こうした加工機を用いて容易に高精度で形成することができる。したがって、断面が角形の突起と溝により係合する係合手段を比較すると、製造コストが低廉なものとなるとともに、係合部分の高精度の加工により回転ガタを小さくすることができる。
【図面の簡単な説明】
【００１６】
【図１】本発明のトルクリミッタの第１実施例の全体的な構造を示す図である。
【図２】図１に示すトルクリミッタのハウジングを示す図である。
【図３】図１に示すトルクリミッタのシールドを示す図である。
【図４】図１に示すトルクリミッタの内輪を示す図である。
【図５】図１に示すトルクリミッタの外側リングを示す図である。
【図６】図１に示すトルクリミッタの内側リングを示す図である。
【図７】本発明のトルクリミッタの第２実施例の全体的な構造を示す図である。
【図８】図７に示すトルクリミッタのハウジングを示す図である。
【図９】図７に示すトルクリミッタのシールドを示す図である。
【図１０】図７に示すトルクリミッタの内輪を示す図である。
【図１１】図７に示すトルクリミッタの外側リングを示す図である。
【図１２】図７に示すトルクリミッタの内側リングを示す図である。
【図１３】自動開閉便座及び便蓋に用いられる駆動装置の一例を示す図である。
【図１４】図１３に示す駆動装置のトルクリミッタを示す図である。
【発明を実施するための形態】
【００１７】
以下、図面に基づいて、本発明のトルクリミッタについて説明する。図１には、本発明のトルクリミッタの第１実施例の全体的な構造図を示し、図２乃至図６には、その構成部品の単品図を示す。
【００１８】
図１に示すように、本発明のトルクリミッタの第１実施例のものは、外周に外歯１Ｈ６が形成されて歯車形状をなすハウジング１を具備し、このハウジング１内には共通の中心軸ｏを有する内輪２、外側リング３、及び内側リング４が備えられている。
【００１９】
図１と共に図２及び図３を参照して説明すると、ハウジング１は本体１Ｈ及び蓋部材１Ｓを有する。本体１Ｈは全体として筒状であって、軸方向の片側には端板１Ｈ１が形成されると共に軸方向の他側には円形の開口１Ｈ２が設けられ、内部には収容空間１Ｈ３が形成されている。端板１Ｈ１の中央には円形の孔１Ｈ４が設けられている。本体１Ｈの外周縁部には、周方向に等角度間隔をおいて複数個（本実施例においては６個）のねじ穴１Ｈ５が形成されている。ねじ穴１Ｈ５は何れも軸方向に貫通しており、軸方向他側は開口１Ｈ２に面している。
本体１Ｈの外周には軸方向の全長に亘って、外歯１Ｈ６が形成されており、収容空間１Ｈ３の外周には内歯１Ｈ７が形成されている。外歯１Ｈ６は、従動機器を駆動するための一般的な歯車であるが、内歯１Ｈ７は、後述するように、インボリュートスプラインの内歯側をなすものである。外歯１Ｈ６及び内歯１Ｈ７の歯形形状は共にインボリュートであって、外歯１Ｈ６の歯数は４３、内歯１Ｈ７の歯数は２４（ねじ穴１Ｈ５が設けられた角度位置においては歯が設けられていない）となっている。
図３を参照することによって明確に理解されるとおり、蓋部材１Ｓは円環状の板部材であり、外周縁部には本体１Ｈに設けられたねじ穴１Ｈ５に対応する位置に、小孔１Ｓ１が夫々形成されている。
【００２０】
図１及び図４を参照して説明すると、内輪２は筒状の軸状部材であり、その外周には、歯形形状がインボリュートの外歯２１（歯数は１７）が全長に亘って形成されている。つまり、内輪２は軸方向に長い外歯歯車であって、その一部はインボリュートスプラインの外歯側をなすものである。
【００２１】
図１及び図５を参照して説明すると、外側リング３は、内輪２が貫通する孔を有し、外周には外歯３１が設けられている。外歯３１はインボリュート歯形であって、この外歯３１は、ハウジング１の内歯１Ｈ６と嵌り合ってインボリュートスプラインを構成するよう、その歯数は２４であって周方向の特定位置においては歯が設けられていない。外側リング３の内周には、径方向において内方を向く円錐面３２と、この円錐面３２の縮径端から軸方向に延びる円筒面３３とが形成されている。円錐面３２は円筒面３３（軸方向）に対して１０°乃至４０°傾斜しているのが好ましく、図示の実施例においては３０°傾斜している。
【００２２】
図１及び図６を参照して説明すると、内側リング４は、内輪２が貫通する孔を有し、内周には内歯４１が設けられている。内歯４１の歯形形状は、やはりインボリュートであって歯数は１７であり、内歯４１は、内輪２の外歯２１に篏合してインボリュートスプラインを構成する。内側リング４の外周には、径方向において外方を向く対向円錐面４２と、この対向円錐面４２の拡径端から軸方向に延びる円筒面４３とが形成されている。対向円錐面４２は円筒面４３（軸方向）に対して１０°乃至４０°傾斜しているのが好ましく、図示の実施例においては３０°傾斜している。
【００２３】
主に図１を参照して説明を続けると、内輪２、外側リング３、及び内側リング４は、以下のようにしてハウジング１内に装着される。
先ず、インボリュートスプラインをなす内輪２の外歯２１と内側リング４の内歯４１とを嵌め合わせ、内側リング４をハウジング１の収容空間１Ｈ３に位置させる。このとき、内側リング４の軸方向端面及び内輪２の軸方向端面（共に図１において右側）が端板１Ｈ１に当接するようにする。次いで、外側リング３を、内輪２に挿通させて円錐面３２が内側リング４の対向円錐面４２と当接すると共に、インボリュートスプラインをなす外歯３１とハウジング１の内歯１Ｈ７とを嵌め合わせて、ハウジング１の収容区間１Ｈ３に位置させる。そして、ボルト５を用いてハウジング１の本体１Ｈに蓋部材１Ｓを固定する。ハウジング１の本体１Ｈに蓋部材１Ｓが固定されると、蓋部材１Ｓにより外側リング３の軸方向端面が押圧され、外側リング３の円錐面３２と内側リング４の対向円錐面４２とが当接して軸方向に押圧する。
【００２４】
本発明のトルクリミッタでは、外側リング３と内側リング４とは、円錐面同士で当接しいわゆる「輪ばね」として知られるばね装置と類似の構造をなしている。蓋部材１Ｓにより加えられる軸方向の荷重によって両方のリングは弾性変形し、内側リング３が縮径すると同時に外側リング４が拡径する。この弾性変形に伴い、両方のリングの円錐面の間には摩擦力が作用するが、その摩擦力は、外側リング３と内側リング４の軸方向の相対変位がごく少量であっても非常に大きな値となる。したがって、本発明のトルクリミッタは、小型のものであったとしても、内輪２とハウジング１との間で大きな回転トルクの伝達が可能となる。詳しくは、この回転トルクは、内輪２から内側リング３へと伝達され、円錐面の間の摩擦力により内側リング４から外側リング３へ、さらに、外側リング３からハウジング１へと伝達される。
【００２５】
ここで、本発明のトルクリミッタでは、内側リング４と外側リング３とは、インボリュートスプラインにより相手方である内輪２とハウジング１とにそれぞれ係合されている。つまり、内輪２と内側リング４とは、共にインボリュート歯形形状の外歯２１と内側リング４の内歯４１とを嵌め合わせることにより相対回転不能に係合され、同様に、外側リング３とハウジング１もやはりインボリュート歯形形状の外歯３１と内歯１Ｈ７とを嵌め合わせて係合される。
このように、本発明のトルクリミッタでは、多数の歯を有するインボリュート歯形形状同士の当接により内輪２とハウジング１へ回転トルクが伝達されるため、内輪２とハウジング１との間に大きな回転トルクが作用しても、回転トルクはインボリュートスプライン多数の歯に分散され、各々の歯に作用する力は小さくなる。また、曲面であるインボリュート歯形同士の接触部分には、隅部のような急激な断面変化を生じる部分はなく、応力集中を回避してクラックの発生を防止することができる。
【００２６】
さらに、インボリュートスプラインを構成する外歯と内歯は、インボリュート歯車の歯形そのものである（例えば、内輪２は中空となった歯車の形態をなす）。インボリュート歯車は、回転伝達部品としてごく一般的に使用される歯車であり、こうした歯車を精度よく加工する加工機は、いわば汎用の加工装置として工場等に常備されるものでもある。本発明の内側リング４と外側リング３などのインボリュートスプライン部分は、こうした加工機を用いて容易に高精度で形成することができる。そのため、断面が角形の突起と溝により係合する係合手段を比較すると、製造コストが低廉なものとなるとともに、係合部分の回転ガタを解消することができ、回転伝達装置として使い勝手の優れたものとなる。
【００２７】
図１等の第１実施例においては、インボリュートスプラインを構成する外側リング３の外歯３１及びハウジング１Ｈの内歯１Ｈ７の歯形形状は、両方ともモジュール：ｍ＝１であるけれども、外歯３１が転位係数＝０の標準歯形であるのに対し、内歯１Ｈ７は転位係数＝０．２の正転位量を有する歯形であって、転位量が互いに異なるものに設定されていて、自由状態では、内歯と外歯の間にわずかなクリアランスが存在するようにする。
歯型形状をこのように設定することで、本発明のトルクリミッタにおいては、組み立て時には、まず、外側リング３のハウジング１Ｈへの挿入作業が容易になる。そして、蓋部材１Ｓが外側リング３を軸方向に押圧してこれが拡径した際に、外側リング３の外歯歯車３１とハウジング１の内歯歯車１Ｈ７との間に存在していた転位量分のクリアランスが埋まるため、外側リング３とハウジング１との間での回転ガタが解消される。
なお、第１実施例においては、他方のインボリュートスプラインを構成する内側リング４の内歯４１及び内輪２の外歯２１の歯形形状は、両者ともにモジュール：ｍ＝１、転位係数＝０の標準歯形である。しかし、所望ならば、内歯４１と外歯２１についても転位量を異ならせることができる。
【００２８】
次に、主に図１を参照して第１実施例のトルクリミッタの作動について説明する。このトルクリミッタは、例えば、駆動源であるモーターにより従動部材であるパソコンの蓋や便座等を自動的に開閉する回転伝達系において、駆動源のモーターを過負荷から保護するために介在される回転伝達装置であり、内輪２が入力部材としてモーターに接続され、ハウジング１が出力部材としてパソコンの蓋等に接続される。
内輪２とハウジング１とを相対的に回転させるトルクが所定値以下、つまり、従動部材がいわば正常な状態であれば、内輪２に係合された内側リング４の対向円錐面４２とハウジング１に係合された外側リング３の円錐面３２との間の摩擦力により、内輪２とハウジング１とは一体的に回転し、モーターからの回転駆動によって従動部材を駆動することができる。本発明のトルクリミッタでは、外側リング３と内側リング４とは、いわゆる「輪ばね」として知られるばね装置をなしており、軸方向の荷重により弾性変形して両者の間に非常に大きな摩擦力を発生させる。そのため、本発明のトルクリミッタは、小型のものであったとしても、内輪２とハウジング１との間で大きなトルクの伝達が可能である。
さらに、本発明のトルクリミッタでは、外側リング３及び内側リング４がインボリュートスプラインにより相手方に相対回転不能に係合されているため、入力部材と出力部材との間の回転ガタが回避されると共に、係合部におけるクラックの発生も回避される。
【００２９】
一方、従動部材であるパソコンの蓋を手で押さえた際など、内輪２とハウジング１との間に所定値よりも大きい回転トルクが付加されると、外側リング３の円錐面３２と内側リング４の対向円錐面４２との間の摩擦力に打ち勝って、外側リング３と内側リング４とが相対的に回転する。つまり、内輪２とハウジング１との間に滑りが生じてモーターと従動部材とが遮断され、モーターが過負荷から保護されることとなる。
【００３０】
次いで図７乃至１２に基づき、本発明のトルクリミッタの第２実施例について説明する。図７には、本発明のトルクリミッタの第２実施例の全体的な構造を示す図を示し、図８乃至図１２には、その構成部品の単品図を示す。なお、以下の説明において、第１実施例と同様の構成要素については、その説明を省略して第１実施例の構成要素と同一の符号に「´」を示すことのみとする。
【００３１】
図７と共に図８を参照して説明すると、ハウジング１´における収容空間１Ｈ３´の外周（即ち本体部１Ｈ´の内周）には、径方向内側に比較的小さく突出する断面円弧状の小突出部１Ｈ８´及び比較的大きく突出する断面半円形状の大突出部１Ｈ９´が夫々形成されている。小突出部１Ｈ８´及び大突出部１Ｈ９´は共に周方向に等角度間隔をおいて複数個（図示の実施例においては３個）ずつ設けられ、小突出部１Ｈ８´と大突出部１Ｈ９´とは夫々周方向に等角度間隔をおいて交互に配置されている。夫々の大突出部１Ｈ９´には、開口１Ｈ２´に面し且つ軸方向に延びるねじ穴１Ｈ５´が形成されている。
更に図９を参照して説明すると、蓋部材１Ｓ´の外周縁部には、上記ねじ穴１Ｈ５´に対応する３個の小孔１Ｓ１´と、上記小突出部１Ｈ８´と噛み合う３個の切欠き１Ｓ３´とが形成されている。そして、蓋部材１Ｓ´の径方向略中間部には、夫々の切欠き１Ｓ３´と周方向において整合して軸方向他側に突出する３個の弧状突出部１Ｓ４´が形成されている。
【００３２】
図７と共に図１０を参照して説明すると、内輪２´は筒状の軸状部材であり、その外周には歯形形状がインボリュートの外歯２１（歯数は２６）が全長に亘って形成されている。つまり、内輪２は軸方向に長い外歯歯車であって、その一部はインボリュートスプラインの外歯側をなすものである。かような内輪２´にはこれをハウジング１´内に配置する際に用いられる適宜の位置決め手段が設けられる。図示の実施例においては、位置決め手段はリング状のカラー２６´であり、このカラー２６´は、図７を参照することによって明確に理解されるとおり、内輪２´に圧入されその軸方向略中間位置に位置している。上記の位置決め手段はカラーに限定されることなく、ピンやＥリング等であってもよい。また、内輪２´をハウジング１´内に配置する際の位置決めを要さない場合には、内輪２´に位置決め手段を設けなくてもよい。
【００３３】
図７と共に図１１を参照して説明すると、外側リング３´は、内輪２´の貫通する孔が形成された外側平面部３４´と、この外側平面部３４´の外周に接続された円錐部３５´とを有する板状の金属からなる。外側平面部３４´の内周には内歯３１´が設けられている。内歯３１´の歯形はインボリュートであって、その歯数は２６である。円錐部３５´は軸方向に対して１０乃至４０°傾斜しているのが好ましく、図示の実施例においては２０°傾斜している。そして、円錐部３５´の内周には円錐面３２´が設けられている。
【００３４】
図７と共に図１２を参照して説明すると、内側リング４´は、内輪２´の貫通する孔が形成された内側平面部４４´と、この内側平面部４４´の内周に接続された対向円錐部４５´とを有する板状の金属からなる。内側平面部４４´の外周縁部には、上記ねじ穴１Ｈ５´に対応する３個の小孔４６´と、上記小突出部１Ｈ８´と噛み合う３個の切欠き４７´とが形成されている。対向円錐部４５´は軸方向に対して１０乃至４０°傾斜しているのが好ましく、図示の実施例においては２０°傾斜している。そして、対向円錐部４５´の外周には対向円錐面４２´が設けられている。
【００３５】
本実施例のトルクリミッタにおいては、外側リング３´及び内側リング４´は共に板状の金属からプレス成型により製造される。本実施例のように、外側リング３´及び内側リング４´を、共に板状の金属からなるものであって、平面部（３４´及び４３´）とそれに連なる（対向）円錐部（３５´及び４４´）とから形成されるようにすることで、外側リング３´及び内側リング４´は、適宜の金属板から加工容易なプレス加工により形成することができるため、トルクリミッタの製造効率を上昇させることができると共に製造コストを低減させることができ、量産化に好都合である。
【００３６】
主に図７を参照して説明を続けると、本実施例においては、外側リング３´はインボリュートスプラインにより内輪２´に相対回転不能に係合される。一方、内側リング４´は、切欠き４７´と小突出部１Ｈ８´との共働によりハウジング１´に相対回転不能に係合される。内側リング４´とハウジング１´とが相対回転不能に係合されると、内側リング４´の小孔４６´とハウジング１´のねじ穴１Ｈ５´とが整合する。そして、ねじ５´によって、蓋部材１Ｓ´と共に内側リング４´が本体１Ｈ´に固定される。所望ならば、本実施例においても、インボリュートスプラインを構成する外歯及び内歯の歯形形状を転位量が互いに異なるものに設定してもよい。また、内側リング４´はインボリュートスプラインによりハウジング１´に相対回転不能に結合されるようにしてもよい。
【００３７】
本実施例のトルクリミッタにおいても、所要通りにして各構成部品が組み合わされると、外側リング３´と内側リング４´とが「輪ばね」として知られるばね装置をなす。そして、モーターのような駆動部材及び機械部品のような従動部材のいずれか一方が内輪２´に接続され、いずれか他方がハウジング１´に接続され、上述した第１実施例のトルクリミッタと同様の作用効果を奏することが可能となる。
【００３８】
本実施例のトルクリミッタにおいては更に、ねじ５の締め代を調整して蓋部材１Ｓ´を軸方向に進退させることで外側リング３´の円錐面３２´と内側リング４´の対向円錐面４２´との間の摩擦力が調整され、これにより上記した回転トルクの所定値を適宜調整することが可能である。この際には、蓋部材１Ｓ´に弧状突出部１Ｓ４´が設けられているため、蓋部材１Ｓ´が内側リング４´を良好に押圧することが可能となる。
【００３９】
一方、本実施例のトルクリミッタにおいては、蓋部材１Ｓ´と共に内側リング４´がねじ５´によってハウジング１´の本体１Ｈ´に固定されている（換言すると、内側リング４´は蓋部材１Ｓ´が存在しなくても本体１Ｈに固定されている）ため、所望ならば、蓋部材１Ｓ´を省略することもできる。蓋部材１Ｓ´を省略した場合には、外側リング３´の円錐面３２´と内側リング４´の対向円錐面４２´との間の摩擦力を調整することはできないものの、部品点数を削減することができ、製造コストの低減及び軽量化に寄与することができる。
【００４０】
以上、本発明のトルクリミッタの好適実施形態について詳述した。上記実施例においては、外側リング及び内側リングは１対設けられていたが、これに限定されることはなく、使用用途に応じて外側リング及び内側リングは複数対設けるようにしてもよい。外側リング及び内側リングの設置数が増大することで、円錐面と対向円錐面との摩擦力が増大し、スリップトルクをより大きな値に設定することが可能となる。外側リング及び内側リングを複数対配設する場合においても、外側リング及び内側リングの少なくとも一方をインボリュートスプラインにより相手方に相対回転不能に係合させる必要がある。また、上記実施例においては、外側リング及び内側リングの少なくとも一方は、内歯と外歯の断面形状が台形状に近似したインボリュートスプラインにより相手方に相対回転不能に結合されていたが、これに替えて断面形状が三角形に近似したインボリュートセレーションにより相手方に相対回転不能に結合されるようにしてもよい。
【符号の説明】
【００４１】
１：ハウジング
２：内輪
３：外側リング
３２：円錐面
４：内側リング
４２：対向円錐面
５：ねじ
【図１】
2018179109.tif 000003
【図２】
2018179109.tif 000004
【図３】
2018179109.tif 000005
【図４】
2018179109.tif 000006
【図５】
2018179109.tif 000007
【図６】
2018179109.tif 000008
【図７】
2018179109.tif 000009
【図８】
2018179109.tif 000010
【図９】
2018179109.tif 000011
【図１０】
2018179109.tif 000012
【図１１】
2018179109.tif 000013
【図１２】
2018179109.tif 000014
【図１３】
2018179109.tif 000015
【図１４】
2018179109.tif 000016